(57)【要約】【課題】架空での光ケーブル配線にケーブルの引っ張り強度の保証と、取付け取り扱い作業に手数と時間が掛からず、作業者による施工上での差異がなく、配線工事の均一化と耐久性をはかり、ケーブル接続配線の信頼性を高める。【解決手段】支持線Ａに沿ったガイドレール１１を有する支持線取付部１と前記支持線Ａに沿った配線ケーブルを把持するケーブル把持部４とを備えた留め具本体片４０と、該留め具本体片の前記支持線取付部１に対向し締着固定子３によって前記支持線Ａを挟圧自在に連結締着される支持線押え片２と、前記留め具本体片４０のケーブル把持部４に対向し前記支持線押え片２に摺動自在或いは回動自在に連結装備されるケーブル取付片５と、前記ケーブル把持部と前記ケーブル取付片との間に締着固定子によって前記配線ケーブルを挟圧圧接するように把持力５０〜１００ｋｇｆをもつ弾性把持部材６とを備えた。【選択図】    図１２
2008178280.tif 000002
【特許請求の範囲】
【請求項１】
支持線に沿ったガイドレールを有する支持線取付部と前記支持線に沿った配線ケーブルを把持するケーブル把持部とを備えた留め具本体片と、該留め具本体片の前記支持線取付部に対向し締着固定子によって前記支持線を挟圧自在に連結締着される支持線押え片と、前記留め具本体片のケーブル把持部に対向し前記支持線押え片に摺動自在或いは回動自在に連結装備されるケーブル取付片と、前記ケーブル把持部と前記ケーブル取付片との間に締着固定子によって前記配線ケーブルを挟圧圧接するように把持力５０〜１００ｋｇｆをもつ弾性把持部材とを備えたことを特徴とするケーブル留め具。
【請求項２】
請求項１記載のケーブル留め具において、前記支持線押え片は、上端に支持線に沿った折曲支片を有し、かつ下端に前記折曲支片と同方向へＬ字状に折り曲げた折曲平板を有するとともに、該支持線押さ片の中央部から折曲平板の一部にかけて前記留め具本体片のケーブル把持部および前記ケーブル取付片を嵌合する嵌合孔を備えるとともに、該嵌合孔に突起片を一対突設して前記ケーブル留め具片の抜止機構としたことを特徴とするケーブル留め具。
【請求項３】
請求項１記載のケーブル留め具において、前記支持線押え片は、上端に支持線に沿った折曲支片を有し、かつ下端に前記折曲支片と反対方向へＬ字状に折り曲げた折曲平板を有するとともに、該支持線押さ片の中央部から折曲平板の一部にかけて前記ケーブル取付片を嵌合する嵌合孔を備え、該嵌合孔に突起片を一対突設して前記ケーブル留め具片の抜止機構及びケーブル径への対応機構としたことを特徴とするケーブル留め具。
【請求項４】
請求項１乃至請求項３記載のケーブル留め具において、前記留め具本体片のケーブル把持部は、円筒形の弾性把持部材を抱持する湾曲面部を有するとともに、前記ケーブル取付片も前記ケーブル把持部に対向した湾曲面部を有し、締着固定子によって前記弾性把持部材を挟持圧着するようにしたことを特徴とするケーブル留め具。
【請求項５】
請求項１乃至請求項４記載のケーブル留め具において、前記ケーブル取付片は、湾曲面部の一端に支持線押え片に形成した嵌合孔に挿入する長孔のある支片を有し、かつ他端にはつば付き端部を有し、前記留め具本体片のケーブル把持部に締着固定子によって取り外し自在に固着するように構成したことを特徴とするケーブル留め具。
【請求項６】
請求項１、請求項３記載のケーブル留め具において、前記弾性把持部材は、前記配線ケーブルの外周面に接触する挿通孔を有する円筒形合成ゴムからなり、配線ケーブルを挿入する切れ目を挿通孔に連通して設け、前記ケーブル把持部に着脱自在に嵌挿するようにしたことを特徴とするケーブル留め具。
【請求項７】
一本の配線ケーブルに取付け、該配線ケーブルに平行して配線される他の配線ケーブルを把持するケーブル留め具であって、配線ケーブルに沿って該配線ケーブルの一面を把持する湾曲面部を有するケーブル把持部及び平行して配線される他の配線ケーブルの一面を把持する同じく湾曲面部を有するケーブル把持部とを備えた留め具本体片と、該留め具本体片の前記各配線ケーブル把持部に対向し締着固定子によって配線ケーブルを挟圧自在に連結締着される一対のケーブル取付片と、前記各ケーブル把持部と前記各ケーブル取付片との間に締着固定子によって前記配線ケーブルを挟圧圧接するように把持力５０〜１００ｋｇｆをもつ弾性把持部材とを備えたことを特徴とするケーブル留め具。
【請求項８】
請求項７記載のケーブル留め具において、前記留め具本体片は、中央部が矩形の板状部として形成され、かつ該板状部に前記ケーブル取付片を嵌合する一対の嵌合孔が並設されているとともに、該嵌合孔に突起片が一対突設され前記ケーブル取付片の抜止機構及びケーブル径への調整機構とし、さらに該板状部の端部から上方及び下方にケーブル把持部が延設され、かつ各ケーブル把持部に端部には締着固定子用の略Ｕ字状切り欠きが形成されていることを特徴とするケーブル留め具。
【請求項９】
請求項７または８記載のケーブル留め具において、前記ケーブル取付片は、一端につば部を有するとともに、前記ケーブル把持部に対向した湾曲面部を有し、かつ湾曲面部から延設され前記留め具本体片の矩形の板状部に形成された嵌合孔に挿入する長孔のある支片を有し、締着固定子によって留め具本体片との間で前記弾性把持部材を挟持圧着するようにしたことを特徴としている。
【発明の詳細な説明】
【技術分野】
【０００１】
本発明は、市街地などにおける一般住宅の家屋、オフィス、工場、その他の建物などの屋外に配線される情報通信用の光ケーブルなどのケーブルを支持線或いは吊線に引き留めたり、或いはケーブル自体に他のケーブルを引留め或いは補助引留めるために使用するケーブル留め具に関するものである。
【背景技術】
【０００２】
一般に、市街地などにおける光ケーブルによる架空光ネットワークは、光ケーブルの多重架渉ができるように、電柱間に鋼撚り線の支持線を張りスパイラルハンガーを通すことにより、ケーブルリングを使用しないでスパイラルハンガーの中に光ケーブルを何条も敷設できるようになっている。（例えば、特許文献１参照）
従来、光ケーブルの後分岐では光ケーブルの配線点になる位置に架空用クロージャを入れて分岐配線されるが、該架空用クロージャ内に光ケーブルを入れる時、光ケーブルを支持線と水平で平行に入れて維持するために光ケーブルをケーブルしばり紐で抱縛することが行われている。
【０００３】
特に、光ケーブルの弾性でケーブルスラックが伸びてクロージャ端面シールのケーブル装着部分がめくれまたはズレて隙間が生じないように光ケーブルを引留めさらには架空用クロージャ取付け後に光ケーブルが左右に動かないようにするためには、光ケーブルを支持線或いは吊線にケーブルしばり紐によって抱縛することが必要となる。
このため図１０に示すように電柱Ｄ間に張装される支持線Ａと光ケーブルＢとを水平で平行に維持するためにケーブルしばり紐Ｃを用いて架空用クロージャＥの前後を抱縛することが行われている。（特許文献１、２参照）
【０００４】
ところが、このケーブルしばり紐を用いる抱縛固定ではケーブルの把持力が約５ｋｇｆ程度と低く大きな把持力を期待することができず、温度変化や風圧荷重変化など環境条件の変動に対応してケーブルの防護には十分満足するものではなくなる。また、作業上でもケーブルしばり紐の取付作業はむずかしく熟練者でも作業時間がかかり、取り外しにも時間がかかって、作業性が頗る悪く、さらに取り扱いには両手での作業となって片手では出来ない不便がある。しかもケーブルしばり紐は合成繊維ロープ等のために耐用年数から取り替える必要があり、耐久強度の保証や架空に設置することから紫外線など環境による劣化など寿命や信頼性に問題があり、その上作業者による抱縛固定に差異が生じたり作業員の組立て相違で、工事にバラツキが生じやすいので、均一性がなく信頼性の上で満足したものにならなくなるなどの欠点もあった。
【０００５】
この出願の発明に関連する先行技術文献情報としては、次のものがある。
【特許文献１】特開２００２−３４５１１６号公報
【特許文献２】実開平５−９６８０５号公報
【発明の開示】
【発明が解決しようとする課題】
【０００６】
本発明は、これら従来の諸欠点を解決しようとするもので、架空での光ケーブルの把持力を５０〜１００ｋｇｆに強化して光ケーブルを支持線に確実に引留め保持し光ケーブルの滑り止めを含めてクロージャ端面シールの防雨性確保やケーブル把持金具の強度維持を図り、さらにクロージャ端面シール部分の変形を防止し、かつ光ケーブルの固定を強固なものとしクロージャ内での心線接続などの配線作業もしやすく安全でスピーディに行なえ、ケーブル留め作業も簡便でしかも環境による劣化も少なく耐久性を大巾に向上でき信頼性も高いケーブル留め具を取扱易い形態で提供することを課題としている。
【課題を解決するための手段】
【０００７】
前記課題を達成するため、請求項１記載のケーブル留め具は、支持線に沿ったガイドレールを有する支持線取付部と前記支持線に沿った配線ケーブルを把持するケーブル把持部とを備えた留め具本体片と、該留め具本体片の前記支持線取付部に対向し締着固定子によって前記支持線を挟圧自在に連結締着される支持線押え片と、前記留め具本体片のケーブル把持部に対向し前記支持線押え片に摺動自在或いは回動自在に連結装備されるケーブル取付片と、前記ケーブル把持部と前記ケーブル取付片との間に締着固定子によって前記配線ケーブルを挟圧圧接するように把持力５０〜１００ｋｇｆをもつ弾性把持部材とを備えたことを特徴としている。
【０００８】
また、請求項２記載の発明は、請求項１記載のケーブル留め具において、支持線押え片は、上端に支持線に沿った折曲支片を有し、かつ下端に前記折曲支片と同方向へＬ字状に折り曲げた折曲平板を有するとともに、該支持線押さ片の中央部から折曲平板の一部にかけて前記留め具本体片のケーブル把持部および前記ケーブル取付片を嵌合する嵌合孔を備えるとともに、該嵌合孔に突起片を一対突設して前記ケーブル留め具片の抜止機構としたことを特徴としている。
【０００９】
請求項３記載の発明は、請求項１記載の発明において、支持線押え片は、上端に支持線に沿った折曲支片を有し、かつ下端に前記折曲支片と逆方向へＬ字状に折り曲げた折曲平板を有するとともに、該支持線押さ片の中央部から折曲平板の一部にかけて前記ケーブル取付片を嵌合する嵌合孔を備え、該嵌合孔に突起片を一対突設して前記ケーブル留め具片の抜止機構及びケーブル径（弾性把持部材径）への調整機構としたことを特徴としている。
【００１０】
請求項４記載の発明は、請求項１乃至請求項３記載のケーブル留め具において、前記留め具本体片のケーブル把持部は、円筒形の弾性把持部材を抱持する湾曲面部を有するとともに、前記ケーブル取付片も前記ケーブル把持部に対向した湾曲面部を有し、締着固定子によって前記弾性把持部材を挟持圧着するようにしたことを特徴としている。
【００１１】
請求項５記載の発明は、請求項１乃至請求項４記載のケーブル留め具において、前記ケーブル取付片は、湾曲面部の一端に支持線押え片に形成した嵌合孔に挿入する長孔のある支片を有し、かつ他端にはつば付き端部を有し、前記留め具本体片のケーブル把持部に締着固定子によって取り外し自在に固着するように構成したことを特徴としている。
【００１２】
請求項６記載の発明は、請求項１、請求項３記載のケーブル留め具において、前記弾性把持部材は、前記配線ケーブルの外周面に接触する挿通孔を有する円筒形合成ゴムからなり、配線ケーブルを挿入する切れ目を挿通孔に連通して設け、前記ケーブル把持部に着脱自在に嵌挿するようにしたことを特徴としている。
【００１３】
請求項７記載のケーブル留め具は、一本の配線ケーブルに取付け、該配線ケーブルに平行して配線される他の配線ケーブルを把持するケーブル留め具であって、配線ケーブルに沿って該配線ケーブルの一面を把持する湾曲面部を有するケーブル把持部及び平行して配線される他の配線ケーブルの一面を把持する同じく湾曲面部を有するケーブル把持部とを備えた留め具本体片と、該留め具本体片の前記各配線ケーブル把持部に対向し締着固定子によって配線ケーブルを挟圧自在に連結締着される一対のケーブル取付片と、前記各ケーブル把持部と前記各ケーブル取付片との間に締着固定子によって前記配線ケーブルを挟圧圧接するように把持力５０〜１００ｋｇｆをもつ弾性把持部材とを備えたことを特徴としている。
【００１４】
請求項８記載の発明は、請求項７記載のケーブル留め具において、前記留め具本体片は、中央部が矩形の板状部として形成され、かつ該板状部に前記ケーブル取付片を嵌合する一対の嵌合孔が並設されているとともに、該嵌合孔に突起片が一対突設され前記ケーブル取付片の抜止機構及びケーブル径への調整機構とし、さらに該板状部の端部から上方及び下方にケーブル把持部が延設され、かつ各ケーブル把持部に端部には締着固定子用の略Ｕ字状切り欠きが形成されていることを特徴としている。
【００１５】
請求項９記載の発明は、請求項７または８記載のケーブル留め具において、前記ケーブル取付片は、一端につば部を有するとともに、前記ケーブル把持部に対向した湾曲面部を有し、かつ湾曲面部から延設され前記留め具本体片の矩形の板状部に形成された嵌合孔に挿入する長孔のある支片を有し、締着固定子によって留め具本体片との間で前記弾性把持部材を挟持圧着するようにしたことを特徴としている。
【発明の効果】
【００１６】
請求項１〜６の発明によれば、架空でのケーブルを支持線に保持するのに強固に定着でき、ケーブルの把持力をも一定にして把持することができ、ケーブル及び心線に損傷が生じないし、引っ張り強度の保証を確実化して信号伝送特性を充分維持できるほか、接続作業の取り扱い並びに配線工事の安全簡便化をはかり、ケーブルの信頼性を高めることができる。  
【００１７】
また、本発明では留め具本体片のケーブル把持部が弾性把持部材を介してケーブルを支持するので、ケーブルの管理保安が容易であるし、組立て作業も簡便に行なうことができ、安全なケーブル留め具を構成簡単で、製造コストも安価な形態で提供できる。
【００１８】
さらに本発明のケーブル留め具では、前記ケーブル把持部が弾性把持部材を圧接するケーブル取付片を摺動自在或いは回動自在に備えられ、締着固定子によって取り外し自在に固着したことにより、締着固定子の止めを緩めてケーブル取付片を外すだけでケーブルを取付けることができ、ケーブルに損傷をあたえないで取り扱いが簡便で、ケーブルを収めるのに、ケーブルの把持力を一定にして把持することができるため、引っ張り強度の保証を確実化するし、接続余長の取り扱い並びに配線工事の安全簡便化がはかられる。
【００１９】
しかも、本発明のケーブル留め具では、電柱間の支持線のどの位置でも簡単に組立てが可能で、組立て時にいずれの作業員が施工しても均一で信頼性が得られると共に、バケット車上などでの一人作業に適し、片手でケーブル把持部本体を仮締め後は部品類の脱落がないので配線工事作業も容易であって信頼性を大幅に高めることができ、取り扱いも簡便で安全な形態でケーブル余長の収納ができるケーブル留め具とすることができる。
【００２０】
また本発明のケーブル留め具は、支持線に沿ったガイドレールのある支持線取付部と、該支持線取付部に対向して支持線押え片を連結締着しうる締着固定子によって挟圧自在に配備すると共に、前記支持線に沿った配線ケーブルを把持するケーブル把持部を前記支持線取付部に連設し、該ケーブル把持部に対向して配備されるケーブル取付片を前記支持線押え片に摺動自在或いは回動自在に連結装備したことで、ケーブルを支持線と水平で平行に配線維持しやすくケーブルの滑り止めも確実にでき、ケーブルの弾性でケーブルスラックが伸びることを防ぎクロージャのケーブル装着部分がめくれたりズレないのでシール部分の変形がなく隙間が生じないで端面シールの防雨性確保ができ安全に用いられる。しかもクロージャ取付後に光ケーブルが左右に動かないのでクロージャ内の心線接続や修理作業もしやすい。
【００２１】
また本発明では、留め具本体片のケーブル把持部に介在される弾性把持部材を光ケーブルの把持力を５０〜１００ｋｇｆに強化して光ケーブルを支持線に確実に引留め保持し光ケーブルの滑り止めを含めてクロージャ端面シールの防雨性確保やケーブル把持金具の強度維持を図り、さらにクロージャ端面シール部分の変形を防止し、かつ光ケーブルの固定を強固なものとしクロージャ内での心線接続などの配線作業もしやすく安全でスピーディに行なえ、ケーブル留め作業も簡便でしかも環境による劣化も少なく耐久性を大巾に向上でき信頼性も高いケーブル留め具とすることができる。
【００２２】
本発明のケーブル留め具では、前記弾性把持部材をケーブル取付片によって挟圧配備する際に、前記ケーブルへの取付け部品が弾性把持部材を除いて脱落防止構造になっているので、取付け部品が弾性把持部材を除いて脱落しないで取り扱われ、作業での安全性を容易に高めることができる。
【００２３】
また本発明では、前記ケーブル取付片を前記支持線押え片に摺動自在或いは回動自在に連結配備してあるので、ケーブル把持のための弾性把持部材の径寸法を多種類に適用できるようにケーブル取付片の位置調整でき、確実に異なるケーブル径に応じた使用が可能で把持力強固で一定にして安全に用いられるように構成している。
【００２４】
また、請求項７〜９記載のケーブル留め具は、配線ケーブルに取り付けて、他の配線ケーブルを増設することできるようにしたので、配線ケーブルの下側にほぼ並行させて二重三重にとケーブルの増設が可能となる。
【発明を実施するための最良の形態】
【００２５】
以下、この発明の実施の形態を図面を参照して説明する。
図１から図５は、この発明の第１実施例に係るケーブル留め具を示し、図１は全体を、図２はその使用状態を、図３から図５はその部品図であり、図６から図９は、この発明の第２実施例に係るケーブル留め具を示し、図６は全体を、図７から図９はその部品図である。また、図１０は従来の工法の説明正面図である。また、図１１から図１６はこの発明の第３実施に係るケーブル留め具を示し、図１１は全体を、図１２は支持線に配線ケーブルを留めるケーブル留め具の使用状態を、図１３から図１５はその部品であり、図１６は配線ケーブルに配線ケーブルを留めるための一部の部品を示す。
【００２６】
〔第１実施例〕
この発明に係るケーブル留め具の第１実施例を図１〜図５の例を用いて説明すると、このケーブル留め具１００は、支持線Ａに沿ったガイドレール１１  例えば支持線Ａに沿って長手方向に形成した長溝のある支持線取付部１と該支持線Ａに沿った配線ケーブルＢを把持するケーブル把持部４を備えた留め具本体片２０と、該留め具本体片２０の支持線取付部１に対向し締着固定子３により支持線を挟圧自在に連結締着しうる支持線押え片２と、前記留め具本体片２０のケーブル把持部４に対向して前記支持線押え片２に摺動自在に連結装備されるケーブル取付片５と、さらに前記配線ケーブルＢに圧接するように前記ケーブル把持部４とケーブル取付片５との間に把持力５０〜１００ｋｇｆ好ましくは７０〜８０ｋｇｆを持つ弾性把持部材６を介在させている。この弾性把持部材６は締着固定子７によって締圧配備されている。〔図１〕
【００２７】
前記留め具本体片２０の支持線取付部１には、下端両側に支持線押え片２を受け止める折曲げ受片１２  を設け、これに当接する折り曲げ平板２２  がある支持線押え片２の先端にある舌片２１  によって支持線Ａが支持線取付部１のガイドレール１１  に挟持されて位置決め保持できるようにされている。
【００２８】
この前記支持線押え片２としては、上端に支持線に沿った折り曲げ支片の舌片２１があって、下端を舌片２１と同方向へ略Ｌ状に折り曲げ平板２２  がある金属板からなり、該支持線押え片２の中央部から折曲平板の一部にかけて前記留め具本体片２０のケーブル把持部４および前記ケーブル取付片５の一部を嵌合する嵌合孔１３を備え、この嵌合孔１３に前記留め具本体片２０の該ケーブル把持部４を嵌合して折り曲げ平板２２  上に前記留め具本体片２０の支持線取付部１を載置した状態で支持線押え片２ともに締着固定子３によって支持線Ａを圧接する。
この支持線押え片２には上述したようにケーブル取付片５を挿入する嵌合孔１３を備え、該嵌合孔１３には舌片状の突起片１４を一対突設して前記留め具本体２０の抜止機構としている。
【００２９】
また、前記ケーブル取付片５としては、湾曲面部の一端に前記支持線押え片２に形成した嵌合孔１３に挿入するつば付き端部１５を備え、他端に長孔１０のある支片５２  を備えて、該支片を留め具本体片２０のケーブル把持部４に締着固定子７によって取り外し自在に固着すれば、前記つば付き端部１５を支持線押え片の嵌合孔１３に挿入した際に、ケーブル取付片のつば下端の凹欠５４が嵌合孔１３にある突起片１４に嵌入してケーブル取付片５を水平方向に摺動できて、選ばれた弾性把持部材６の直径に対応した寸法で締着固定子によって挟圧配備できるようにして、ケーブル把持のための弾性把持部材６の径寸法を多種類に適用できるようにケーブル取付片５の位置調整でき、確実に異なるケーブル径に応じた使用が可能で把持力強固で一定にして安全に用いられる。
【００３０】
例えば、前記ケーブル取付片５を支持線押え片２にある嵌合孔１３に挿入して前方にスライドさせておき締着固定子７で仮止めしておく。さらに留め具本体片２０のケーブル把持部４を前記嵌合孔１３に挿入して締着固定子３によって仮止めすれば、ケーブル取付片５が抜けなくなる。そして需要に応じて、このケーブル取付片５の位置を嵌合孔１３にある突起片１４上にずらせて前後方向に調節してスペーサとしての弾性把持部材６の直径寸法に合わせた挟持圧着ができ所定の把持力をもってケーブルを定着することができる。
【００３１】
前記支持線押え片２は、断面略コ字状の金属板、合金板或いは硬質合成樹脂からなり折曲げ両端を金属板、合金板或いは硬質合成樹脂からなる前記留め具本体片２０の支持線取付部１の側面にボルト３とナット３１  からなる締着固定子３によって圧接配備する。
さらに、前記留め具本体片２０のケーブル把持部４は支持線取付部１に一体に連設され、円筒形の合成ゴム材の弾性把持部材６を抱持する湾曲面部のある金属板からなり、また湾曲面部のある金属板からなるケーブル取付片５とで弾性把持部材６を締着固定子７によって挟持圧着してケーブルに損傷を与えず引き張り強度の保証を確実化するようにしている。
【００３２】
さらに、前記留め具本体片２０のケーブル把持部４は、円筒形の弾性把持部材６を圧接するケーブル取付片５を前記支持線押え片２に形成した嵌合孔１３に挿脱自在に構成され、締着固定子７によって取り外し自在に固着して、弾性把持部材６を挟圧してケーブルの外周を圧着し、把持力５０〜１００ｋｇを持つてケーブル止めとする。
【００３３】
前記ケーブル取付片５は、湾曲面部の両端に折り曲げ支片５１  ，５２  を備え、一方の支片５１  、例えば端部を折り曲げてつば付き端部１５とするか或いは端部を丸めてヒンジ部としたものを前記支持線押え片２に形成した嵌合孔１３に嵌入支持させ、他方の支片５２  をケーブル把持部４に締着固定子７によって取り外し自在に装着する。この締着固定子７は、ケーブル把持部４の一端４１  の折曲げ受部に形成した切欠９に挿入し締着固定子７のボルト頭を掛止めし、前記ケーブル取付片５の支片５２  に設けた長孔１０に締着固定子７のネジ杆を挿入して座金７２  及びバネ座金７３  を介してナット７１  で固着する。該ナット７１  をゆるめ移動するだけで前記切欠９に挿入したネジ杆をケーブル把持部４から外すことができ支持線押え片２の嵌合孔１３に嵌入した支片５１  を中心として回動してケーブル取付片５を開くことができ弾性把持部６を取り外せ、弾性把持部材６の交換を可能にする。
【００３４】
前記弾性把持部材６としては、前記配線ケーブルの外周面に接触する挿通孔６１  を有する円筒状合成ゴムからなり、配線ケーブルを挿入する切れ目６２  を挿通孔６１  に連通して設け、前記ケーブル把持部４とケーブル取付片５との間にスペーサとして着脱自在に嵌挿するようにし、ボルト及びナットからなる締着固定子７によってケーブル取付片５を締め付け定着して弾性把持部材６が挟持圧着され各部材が該締着固定子７で仮締可能に配備され、弾性把持部材６を除いて、各部材が分離して脱落しないように連結状態を保った構造として、脱落しにくい形態で取り扱われ、作業での安全性を高めることができるようになっている。
【００３５】
また前記ケーブルＢに取り付けられるスペーサとしての弾性把持部材６は、その形状及び硬度（６０±５Ｈｓ）からケーブル径の２０種類例えばφ８．５，１１．０、φ１２．５，１４．０、φ１５．５，１６．５，２０．０など種々の径のものを大中小等の数種類に統合して、組付けて用いられ、それぞれ選ばれた弾性把持部材６の直径に対応して前記ケーブル取付片５を折り曲げ受片４１  より離れた状態で締着固定子７によって挟圧取り付ければよい。  
【００３６】
この場合、前記弾性把持部材６としては、弾性に優れた加硫ゴムなどの合成ゴムや、ニトリルゴム、ブチルゴム、アクリルゴム、オレフィン系のエチレン−プロピレンゴム、フッ素ゴム、シリコーンゴムなどの高性能特殊ゴム、熱可塑性エラストマー（ＴＰＥ）が選んで用いられる。
特に、弾性把持部材６は、引張強度５０〜３００ｋｇｆ／ｃｍ２  で、（ショアー硬度２０〜９０）を用いるが、好ましくは引張応力の大きい硬質ゴム（ショアー硬度４０〜７０）を用い、即ち引張応力１００％・７０〜８０ｋｇｆ／ｃｍ２  の熱可塑性ゴム組成物、例えば石油系軟化材を含むＥＥＰＭ、ＥＰＤＭ、シリコーンゴム、ブチルゴム、スチレン・ブタジェンゴム或いはフッ素ゴムなどの硬度（Ｈｓ）のもの、さらに詳しくは比重１．０〜１．５、引張強度６０．０ｋｇｆ／ｃｍ２  で、圧縮永久歪（７０℃×２２Ｈ）は、５０％以下例えば４５．０％のものを用いケーブルの外周の摩擦抵抗によって所定の引っ張り強度に耐え、弾性変形してケーブルを密着して把持力５０〜１００ｋｇｆを持って把持性を確保できるようにするのがよい。
【００３７】
このように、前記留め具本体片２０のケーブル把持部４は、ケーブル押え片５とによって硬度２０〜９０の合成ゴムから構成された弾性把持部材６を把持するものである。該弾性把持部材６は、ケーブルを貫通させる挿通孔６１  のある円筒体が二つ割りの切れ目６２  を外周から前記挿通孔６１  まで形成されていて、ケーブルを挿入しやすくしてあるが、このケーブル挿通路としては、ケーブルを密着して把持力５０〜１００ｋｇｆ好ましくは７０〜８０ｋｇｆを持つて把持できるように、見かけの接触面積の大小並びに、垂直荷重の大小を適宜配慮して構成される。
【００３８】
この第１実施例のケーブル留め具では、前記支持線取付部１とケーブル把持部４を一体に構成して留め具本体片２０として、支持線押え片２とケーブル取付片５を一括して備えたものとを組み合わせて、配線ケーブルＢを挿入した弾性把持部材６を挟圧保持するようにしている。
【００３９】
そして、前記配線ケーブルＢの施行処理手順の一例としては、クロージャＥのある配線点となる予定の電柱Ｄに配線されている支持線Ａに留め具本体片２０の支持線取付部１を支持線取付片２によって締着固定子３で取付け、該支持線Ａにつり下げられている配線ケーブルＢの外周に弾性把持部材６をクロージャＥの両側近傍に挿入して、該弾性把持部材６をケーブル把持部４においてケーブル取付片５によって緩めた状態で仮止めしたのち、前記ケーブル把持部４間のケーブルの位置で所定量のケーブル接続を行って分岐する。この分岐ケーブルＢをケーブル把持部４で、前記ケーブル取付片５を締めつけ前記弾性把持部材６内に挟持固定する。〔図２〕
【００４０】
また、前記ケーブル把持部４およびケーブル取付片５には、湾曲面部の外面に補強用エンボス部４３  ，５３  を設けて強度を増してあり、さらに前記留め具本体片２０の支持線取付部１及び前記支持線押え片２には前記締着固定子３のボルトを挿入する取付孔１１，１２をそれぞれ穿設し両者を連結しやすくしてあり組立が容易で支持線Ａへの取付作業が簡便にできるようにしている。〔図３〜図５〕
【００４１】
〔第２実施例〕
本発明の第２実施例では、図６〜図９に示すように支持線Ａに沿った配線ケーブルＢを弾性把持部材６を介して挟持するための留め具本体片３０はケーブル把持部４を支持線取付部１に連設し、該ケーブル把持部４に対向して配備されるケーブル取付片５を前記支持線取付片２に回動自在に装備したもので、例えばケーブル取付片５の支片５１  の端部を丸めてヒンジ部としたものを前記支持線取付片２に形成した挿入孔８に回動自在に装着してあり、締着固定子７によって挟圧配備して取扱作業性の向上と耐久性を高めて長期使用に耐えうるようになっている。
また、前記支持線取付部１及び支持線押え片２には前記締着固定子３のボルトを挿入する取付孔１１，１２をそれぞれ穿設し両者を連結しやすくしてあり組立が容易で支持線Ａへの取付作業が簡便にできるようにしている。〔図７及び図９〕
【００４２】
この発明に係るケーブル留め具は、前記支持線取付部１で支持線押え片２によって支持線Ａに定着できるので、該支持線Ａの備えたスパイラルハンガーＦ内の他のケーブルに損傷を与えないで安全に用いられ、しかも電柱Ｄ間のどこの位置でも組立てが可能で、バケット車上での作業で一人作業も簡便にできる。
【００４３】
なお、図示しないが前記ケーブル把持部４を２連或いはそれ以上に連設し、それぞれに前記ケーブル取付片５及び弾性把持部材６を付設して複数のケーブルＢを支持線Ａに吊設することもできる。
また図示しないが前記支持線取付部１とケーブル把持部４とを連設した第１実施例に代えて、支持線１とケーブル把持部４との間にハンガー、例えば略コ字状の支杆を介在配備して支持線Ａと配線ケーブルＢとの間隔が離れている配線状態の場合に対応できるようにすることも好適例の一つである。
【００４４】
これらの場合も前記ケーブル取付片５は、支持線押え片２とは別部材で、弾性把持部材
６を嵌入しうる湾曲面部の両端に折り曲げ支片をそれぞれ備え、ケーブル取付片を個別に
取り外し自在に固着し、前記弾性把持部材を確実に挟み込んでケーブルを圧着するように
し、さらに左右に振り分けたケーブル接続余長を支えて、確保しやすくし、ケーブルの繰
り出しの際に案内をも兼ねケーブルの損傷が生じないようにするのがよい。
【００４５】
〔第３実施例〕
図１１から図１５は本発明の第３実施例のケーブル留め具１００を示し、図１１は使用状態を、図１２は全体を、図１２から図１５は部品を示している。なお、実施例１に示したケーブル留め具１００と同一または相当する部分には同一符号を付し説明を省略する場合がある。
【００４６】
これらの図に示すように、ケーブル留め具１００は、支持線Ａに沿ったガイドレール１１  例えば支持線Ａに沿って長手方向に形成した長溝のある支持線取付部１と該支持線Ａに沿った配線ケーブルＢを把持するケーブル把持部４を備えた留め具本体片４０と、該留め具本体片４０の支持線取付部１に対向し締着固定子３により支持線を挟圧自在に連結締着しうる支持線押え片２と、前記留め具本体片４０のケーブル把持部４に対向して前記支持線押え片２に摺動自在に連結装備されるケーブル取付片５と、さらに前記配線ケーブルＢに圧接するように前記ケーブル把持部４とケーブル取付片５との間に把持力５０〜１００ｋｇｆ好ましくは７０〜８０ｋｇｆを持つ弾性把持部材６と備えている。この弾性把持部材６は締着固定子７によって締圧配備されている。
【００４７】
留め具本体片４０は、図１３に示すように、長手方向に形成した長溝のある支持線取付部１と支持線Ａに沿った配線ケーブルＢを把持する湾曲したケーブル把持部４を備えている。支持線取付部１には、締着固定子３を挿通するボルト孔１１が穿設されており、その周辺には締着固定子３のボルト頭用の周り止めとしてエンボス突起４１がそれぞれ２個ずつ設けられている。また、ケーブル把持部４の下端４１には切欠９が設けられていて、その左右にもボルト頭用の周り止めとしてアーチ状突起４２が設けられている。なお、図１３（ａ）は正面図、（ｂ）は側面図である。
【００４８】
また、前記支持線押え片２は、図１４に示すように、上端に支持線に沿った折曲支片２１を有し、かつ下端に折曲支片２１と逆方法へＬ字状に折り曲げた折曲平板２２を有するとともに、該折曲平板２２の一部には前記ケーブル取付片５を嵌合する嵌合孔１３を備えている。該嵌合孔１３には突起片１４を一対突設して前記ケーブル取付片５の抜止機構及びケーブル径（弾性把持部材径）への調整機構とした。なお、図１４（ａ）は正面図、（ｂ）は底面図、（ｃ）は側面図である。
【００４９】
そして、留め具本体片４０の前記支持線押え片２の先端にある折曲支片２１と前記留め具本体４０の支持線取付部１のガイドレール１１  とによって支持線Ａが挟持された状態で位置決め保持する。
【００５０】
また、留め具本体片４０の前記ケーブル取付片５は、図１５に示すように、湾曲面部の一端に前記支持線押え片２に形成した嵌合孔１３に挿入するつば付き端部１５を備え、他端に長孔１０のある支片５２  を備えて、該支片を留め具本体片４０のケーブル把持部４に締着固定子７によって取り外し自在に固着すれば、前記つば付き端部１５を支持線押え片の嵌合孔１３に挿入した際に、ケーブル取付片のつば下端の凹欠５４が嵌合孔１３にある突起片１４に嵌入してケーブル取付片５を水平方向に摺動できて、選ばれた弾性把持部材６の直径に対応した寸法で締着固定子によって挾圧配備できる。これにより、ケーブル把持のための弾性把持部材６の径寸法を多種類に適用できるようにケーブル取付片５の位置調整でき、確実に異なるケーブル径に応じた使用が可能で把持力強固で一定にして安全に用いられる。なお、図１５（ａ）は平面図、（ｂ）は正面図、（ｃ）は側面図である。
【００５１】
例えば、前記ケーブル取付片５を支持線押え片２にある嵌合孔１３に挿入して前方にスライドさせておき、留め具本体片４０と支持線押え片２とにより支持線Ａを挟持して締着固定子３により仮止めし、配線ケーブルＢに弾性把持部材６を被せた状態のものを留め具本体片４０のケーブル把持部４とケーブル取付片５によって挟んで、締着固定子７によって仮止めしておき、両方の締着固定子３，７いわゆるボルト・ナットで締め付けることで支持線Ａへの配線ケーブルの引留が完了する。
【００５２】
また、前記弾性把持部材６としては、前記配線ケーブルの外周面に接触する挿通孔を有する円筒状合成ゴムからなり、該円筒状合成ゴムに螺旋状の切り込みを入れたものである。通常の状態では、円筒状になっていて、配線ケーブルに装着するときには螺旋状の切り込みを利用して巻き付けるようにする。一旦装着すると、自然には分離脱落せず装着状態を保つ構造となっている。弾性把持部材６の材質については、第１実施例で示したものと変わらないので説明を省略する。
【００５３】
〔第４実施例〕
第４実施例に係るケーブル留め具２００は、既に架設されている配線ケーブルがあり、この配線ケーブルを利用して新たに配線ケーブルを増設することができるケーブル留め具である。
このケーブル留め具２００は、図１６に示す留め具本体片５０と、この留め具本体片５０と組み合わせる２個の図１５に示すケーブル取付片５と、２個の弾性把持部材６と２個の締着固定子７とで構成されている。
留め具本体片５０は、図１６に示すように、配線ケーブルに沿って該配線ケーブルの一面を把持する湾曲面部を有するケーブル把持部５１及び平行して配線される他の配線ケーブルの一面を把持する同じく湾曲面部を有するケーブル把持部５１とを備えている。また、中央部は矩形の板状部５２として形成され、かつ該板状部５２に前記ケーブル取付片５を嵌合する一対の嵌合孔５３が並設されている。この該嵌合孔には突起片５４が一対突設され前記ケーブル取付片５の抜止機構及びケーブル径への調整機構としている。また、前記ケーブル把持部５１は、前記板状部５２の端部から上方及び下方にへと延設され、かつ各ケーブル把持部５１に端部には締着固定子用の略Ｕ字状切り欠５９きが形成されている。なお、図１６（ａ）は平面図、（ｂ）は正面図、（ｃ）は側面図である。
【００５４】
また、前記ケーブル取付片５は、図１５に示すように、前記ケーブル把持部５１に対向した湾曲面部を有し、該湾曲面部の一端に前記留め具本体片５０の嵌合孔５３に挿入するつば付き端部１５を備え、かつ湾曲面部から延設され前記留め具本体片５０の矩形の板状部５２に形成された嵌合孔５３に挿入する長孔１０のある支片５２を有している。
装着方法は、先ず上方に配線されているケーブルＢの所定位置に弾性把持部材６を装着し、次に留め具本体片５０の矩形の板状部５２に形成された嵌合孔５３にケーブル取付片５の支片５２を嵌入させて、両方の湾曲面部にて弾性把持部材を挟持し締着固定子７にて仮止めする。
【００５５】
続いて、留め具本体片５０の矩形の板状部５２に形成された他方の嵌合孔５３にもう一つのケーブル取付片５の支片５２を嵌入させて、下側に配線されているケーブルＢにも所定位置に弾性把持部材６を装着して、留め具本体片５０とケーブル取付片５の両方の湾曲面部で締着固定子７によって弾性把持部材６を挟持圧着する。
【００５６】
また、ケーブル取付片５のつば下端の凹欠５４が嵌合孔５３にある突起片５４に嵌入してケーブル取付片５を水平方向に摺動できて、選ばれた弾性把持部材６の直径に対応した寸法で締着固定子によって挾圧配備できる。これにより、ケーブル把持のための弾性把持部材６の径寸法を多種類に適用でき、ケーブル径に応じた使用が可能で把持力強固で一定にして安全に用いられる。
【００５７】
なお、上記締着固定子３，７の締着固定は、所定のトルクに設定されたトルクレンチによって行われる。
【図面の簡単な説明】
【００５８】
【図１】本発明の第１実施例を示すケーブル留め具を示し、（ａ）はその分離状態の斜視図、（ｂ）はその使用状態の側面図である。
【図２】図１の例の施行状態の正面図である。
【図３】図１の例で用いられるケーブル留め具の留め具本体片示し、（ａ）はその正面図、（ｂ）はその側面図である。
【図４】図１の例で用いられるケーブル留め具のケーブル取付片を示し、（ａ）はその側面図、（ｂ）はその正面図、（ｃ）はその平面図である。
【図５】図１の例のケーブル留め具の支持線押え片を示し、（ａ）はその正面図、（ｂ）はその側面図、（ｃ）はその平面図である。
【図６】本発明の第２実施例を示すケーブル留め具を示し、（ａ）はその使用状態の斜視図、（ｂ）はその分離状態の斜視図、（ｃ）はその組立側面図である。
【図７】図６の例で用いられるケーブル留め具のケーブル把持部本体を示し、（ａ）はその正面図、（ｂ）はその側面図である。
【図８】図６の例で用いられるケーブル留め具のケーブル取付片を示し、（ａ）はその側面図、（ｂ）はその正面図である。
【図９】図６の例のケーブル留め具の支持線押え片を示し、（ａ）はその正面図、（ｂ）はその側面図、（ｃ）はその平面図である。
【図１０】従来の工法の説明正面図である。
【図１１】本発明の第３実施例と第４実施例の施行状態の斜視図である。
【図１２】本発明の第３実施例を示すケーブル留め具を示し、（ａ）は平面図、（ｂ）は正面図、（ｃ）は側面図である。
【図１３】図１２の例で用いられるケーブル留め具の留め具本体片を示し、（ａ）はその正面図、（ｂ）はその側面図である。
【図１４】図１２の例で用いられるケーブル留め具の支持線押え片を示し、（ａ）はその正面図、（ｂ）はその底面図、（ｃ）は側面図である。
【図１５】図１２または図１６の例で用いられるケーブル留め具のケーブル把持片を示し、（ａ）はその平面、（ｂ）はその正面図、（ｃ）は側面図である。
【図１６】本発明の第４実施例を示すケーブル留め具の留め具本体片を示し、（ａ）は平面図、（ｂ）は正面図、（ｃ）は側面図である。
【符号の説明】
【００５９】
Ａ    支持線
Ｂ    ケーブル
Ｃ    ケーブルしばり紐
Ｄ    電柱
Ｅ    クロージャ
Ｆ    スパイラルハンガー
Ｇ    支線金具
１    支持線取付部
１１    ガイドレール
１２    折曲げ受片
２    支持線押え片
２１    舌片
２２    折り曲げ平板
３    ボルト
３１    ナット
４    ケーブル把持部
４１    折曲げ支片
４３    ボス部
５    ケーブル取付片
５１  ，５２    支片
５３    ボス部
５４   凹欠
６    弾性把持部材
６１    挿通孔
６２    切れ目
７    締着固定子
７１    ナット
７２    座金
７３    バネ座金
８    挿入孔
９    切欠
１０    長孔
１１，１２    取付孔
１３    嵌合孔
１４    突起片
１５    つば付き端部
２０、３０，４０，５０    留め具本体片
５１    ケーブル把持部
５２    板状部
５３    嵌合孔
５４    突起片
１００  ケーブル留め具
２００  ケーブル留め具
【図１】
2008178280.tif 000003
【図２】
2008178280.tif 000004
【図３】
2008178280.tif 000005
【図４】
2008178280.tif 000006
【図５】
2008178280.tif 000007
【図６】
2008178280.tif 000008
【図７】
2008178280.tif 000009
【図８】
2008178280.tif 000010
【図９】
2008178280.tif 000011
【図１０】
2008178280.tif 000012
【図１１】
2008178280.tif 000013
【図１２】
2008178280.tif 000014
【図１３】
2008178280.tif 000015
【図１４】
2008178280.tif 000016
【図１５】
2008178280.tif 000017
【図１６】
2008178280.tif 000018